(57)【特許請求の範囲】
【請求項１】
被粉砕物が投入されるホッパー部と、該ホッパー部に投入された被粉砕物を粉砕可能な固定擂潰盤及び回転擂潰盤からなる擂潰部と、該回転擂潰盤を回転させる駆動部と、該擂潰部により粉砕された被粉砕物が排出される排出部とを備えてなり、上記回転擂潰盤を上記駆動部により回転される主軸に対して回転擂潰盤の載置又は持上げ動作により着脱させる着脱機構を配設し、該着脱機構は上記主軸に挿通穴を形成すると共に上記回転擂潰盤に下端部が該挿通穴に挿通可能なロック杆を上端部を突出させて上下動自在に配設し、該ロック杆を下方に弾圧可能にしてロック杆の上端部の持上げ時に縮小変形可能なバネ部材を配設し、かつ該回転擂潰盤に該主軸に外嵌合可能な嵌合穴を形成すると共に該嵌合穴の内周面に係止溝を形成し、更に該主軸に挿通穴の内周面から主軸の外周面に至る係止穴を形成すると共に該係止穴に外方端部が該係止溝に嵌着可能な係止ピンを突没進退自在に挿通し、該係止ピンの内方端部に受圧部分を形成すると共に該ロック杆の下端部に該受圧部分を押圧可能な押圧部分を形成し、該係止溝に該回転擂潰盤の持上げ時に該係止ピンの外方端部を押圧して係止ピンを没入させる戻動部分を形成して構成されていることを特徴とする製粉機。
【発明の詳細な説明】
【０００１】
【発明の属する技術分野】
本発明は例えば米、麦、大豆、トウモロコシ等の穀類や干しキノコ、煮干し、卵殻、干しエビ、茶葉、漢方薬の原料等の製粉化加工に用いられる小型の製粉機に関するものである。
【０００２】
【従来の技術】
従来この種の製粉機として、穀類等の被粉砕物を固定擂潰盤及び回転擂潰盤からなる擂潰部により粉砕する構造のものが知られている。
【０００３】
【発明が解決しようとする課題】
しかしながら上記従来構造にあっては、固定擂潰盤と回転擂潰盤との間の粉砕間隙やその近傍部分の掃除が非常に厄介であり、それだけ操作性が低下しているという不都合を有している。
【０００４】
【課題を解決するための手段】
本発明はこのような課題を解決することを目的とするもので、請求項１記載の発明にあっては、被粉砕物が投入されるホッパー部と、該ホッパー部に投入された被粉砕物を粉砕可能な固定擂潰盤及び回転擂潰盤からなる擂潰部と、該回転擂潰盤を回転させる駆動部と、該擂潰部により粉砕された被粉砕物が排出される排出部とを備えてなり、上記回転擂潰盤を上記駆動部により回転される主軸に対して回転擂潰盤の載置又は持上げ動作により着脱させる着脱機構を配設し、該着脱機構は上記主軸に挿通穴を形成すると共に上記回転擂潰盤に下端部が該挿通穴に挿通可能なロック杆を上端部を突出させて上下動自在に配設し、該ロック杆を下方に弾圧可能にしてロック杆の上端部の持上げ時に縮小変形可能なバネ部材を配設し、かつ該回転擂潰盤に該主軸に外嵌合可能な嵌合穴を形成すると共に該嵌合穴の内周面に係止溝を形成し、更に該主軸に挿通穴の内周面から主軸の外周面に至る係止穴を形成すると共に該係止穴に外方端部が該係止溝に嵌着可能な係止ピンを突没進退自在に挿通し、該係止ピンの内方端部に受圧部分を形成すると共に該ロック杆の下端部に該受圧部分を押圧可能な押圧部分を形成し、該係止溝に該回転擂潰盤の持上げ時に該係止ピンの外方端部を押圧して係止ピンを没入させる戻動部分を形成して構成されていることを特徴とする製粉機にある。
【０００５】
【発明の実施の形態】
図１乃至図１０は本発明の実施の形態例を示し、大別して、ホッパー部１、擂潰部２、駆動部３、排出部４及び機台部５からなり、この場合機台部５は機台板５ａに脚枠５ｂを取り付けて構成されている。
【０００６】
このホッパー部１はケース体１ａ内に漏斗状の導入筒１ｂを形成し、かつ上部に導入筒１ｂの上部の投入口１ｃを開閉可能な蓋部材１ｄを取り付けて構成している。
【０００７】
また、擂潰部２は固定擂潰盤６及び回転擂潰盤７からなり、回転擂潰盤６は駆動部３により回転するように構成されている。
【０００８】
この場合機台板５ａに軸受筒部材８を縦設し、軸受筒部材８に主軸９を回転自在に縦設し、主軸９に回転擂潰盤７を着脱機構１０を介して着脱自在に取付け、この回転擂潰盤７上に固定擂潰盤６を軸受筒部材８に対して回り止め状態で載置して対向面間に粉砕間隙Ｈを形成すると共に粉砕間隙調節機構１１により固定擂潰盤６を回転擂潰盤７に対しての上昇離反限度を調節規制して粉砕間隙Ｈを調節設定自在に構成している。
【０００９】
この固定擂潰盤６は図３及び図５の如く、中央部に導入受筒１２が固定立設され、この導入受筒１２は導入筒１ｂに接続されて導入路１３が形成され、導入受筒１２の内周面に階段状の粗挽刃１２ａを四列分突出形成し、固定擂潰盤６の表面には擂潰凹凸条６ａが形成され、かつ固定擂潰盤６の内方側に被粉砕物Ｗを擂潰間隙Ｈに導入可能な導入溝６ｂが複数個形成され、導入溝６ｂは擂潰間隙Ｈに被粉砕物Ｗを誘い込み可能な誘導刃縁６ｃを持ち、誘導刃縁６ｃの先端から固定擂潰盤６の外周縁までの距離としての粉砕長さＬ1及び誘導刃縁６ｃの長さＬ2をもって形成され、この固定擂潰盤６上にホッパー部１のケース体１ａを取り付けてなり、又、回転擂潰盤７にあっては、中央部に導入受筒１４が一体に立設され、この導入受筒１４の外周面に階段状の粗挽刃１４ａを四列分突出形成し、この回転擂潰盤７の表面には擂潰凹凸条７ａが形成されている。
【００１０】
また駆動部３は上記機台部５の機台板５ａに回転用モータ１５を取付け、回転用モータ１５の主軸と上記主軸９とをベルト伝導機構１６により接続し、回転用モータ１５により主軸９を回転させるように構成している。
【００１１】
また排出部４は、この場合軸受筒部材８及び機台板５ａに上記粉砕間隙Ｈに臨ませて排出口４ａを形成すると共に機台板５ａに排出筒４ｂを取付けてなり、排出筒４ｂに取出容器１７を臨設して構成している。
【００１２】
１８はシャッター部材であって、上記ホッパー部１と上記擂潰部２との間の導入路１３を開閉可能に設けられ、蓋部材１ｄの開閉動作とシャッター部材１８の開閉動作とが連動機構１９により連動するとと共に連動機構１９に蓋部材１ｄの開動作に伴うシャッター部材１８の閉動作並びに蓋部材１ｄの閉動作に伴うシャッター部材１８の開動作を各々遅延可能な遅延機構２０を配設して構成している。
【００１３】
２１は安全機構であって、上記蓋部材１ｄの閉動作完了に連動して上記駆動部３による回転擂潰盤７の駆動回転を許容するように構成されている。
【００１４】
この場合、上記着脱機構１０は、上記主軸９の上部に挿通穴２２を形成すると共に上記回転擂潰盤７に下端部が挿通穴２２に挿通可能なロック杆２３を上端部を突出させて上下摺動自在に配設し、ロック杆２３の上端部に錐状体２４を取付け、ロック杆２３を下方に弾圧可能にしてロック杆２３の上端部の持上げ時に回転擂潰盤７の自重又は引き上げ外力により縮小変形可能なバネ部材２５を配設し、かつ回転擂潰盤７に主軸９に外嵌合可能な嵌合穴２６を形成すると共に嵌合穴２６の内周面に係止溝２７を三個形成し、更に主軸９に挿通穴２２の内周面から主軸９の外周面に至る係止穴２８を三個形成すると共に係止穴２８に外方端部が係止溝２７に嵌着可能な係止ピン２９を突没進退自在に挿通し、係止ピン２９の内方端部に半球状の受圧部分２９ａを形成すると共にロック杆２３の下端部に受圧部分２９ａを押圧可能なテーパー状の押圧部分２３ａを形成し、係止溝２７に回転擂潰盤７の持上げ時に係止ピン２９の外方端部を押圧して係止ピン２９を没入させる斜面状の戻動部分２７ａを形成し、更に挿通穴２２の底部に摩擦筒３０を摺動自在に設け、摩擦筒３０を押し上げる上記バネ部材２５よりも弱いバネ３１を設け、摩擦筒３０の上面により係止ピン２９の受圧部分２９ａを弾圧して係止ピン２９の遊動を防止するように構成している。
【００１５】
しかして、図３の使用状態において、回転擂潰盤７を取り外す場合には、上記ロック杆２３の上端部に設けられた錐状体２４を持ち上げると、回転擂潰盤７の自重によりロック杆２３のみがバネ部材２５を縮小変形させて上昇摺動し、又はロック杆２３のみをバネ部材２５を縮小変形させて外力により引き上げ、これにより係止ピン２９は没入後退が可能となると共に係止溝２７の斜面状の戻動部分２７ａにより係止ピン２９の外方端部が押圧されて係止ピン２９は係止穴２８内を没入後退し、これにより図８の如く、回転擂潰盤７を主軸９より取り外すことができ、又、回転擂潰盤７を主軸９に装着する場合には、上記係止ピン２９を没入状態にし、上記ロック杆２３の上端部に設けられた錐状体２４を持って、主軸９の上端部外周面に嵌合穴２６を外嵌合すると、係止ピン２９の外方端部は係止溝２７に嵌着可能となると共に係止ピン２９の内方端部の受圧部分２９ａはロック杆２３の下端部の押圧部分２３ａにより突出押圧され、係止ピン２９の先端部は係止溝２７内に嵌着されることになる。
【００１６】
この実施の形態例は上記構成であるから、米、麦、大豆、トウモロコシ等の穀類や干しキノコ、煮干し、卵殻、干しエビ、茶葉、漢方薬の原料等の被粉砕物Ｗをホッパー部１に投入し、駆動部３により回転擂潰盤７を図５の実線矢印方向に回転させ、このことは言い換えると固定擂潰盤６を図６の如く、破線矢印方向に相対回転させると考えることもでき、被粉砕物Ｗは固定擂潰盤６及び回転擂潰盤７からなる擂潰部２の擂潰間隙Ｈにより擂り潰されつつ外方に送られ、粉砕された被粉砕物Ｗは排出部４より排出されることになり、この際、回転擂潰盤７を駆動部３により回転される主軸９に対して回転擂潰盤７の載置又は持上げ動作により着脱させる着脱機構１０を配設して構成しているから、回転擂潰盤７の持ち上げ動作により回転擂潰盤７を主軸９から容易に取り外すことができ、固定擂潰盤６と回転擂潰盤７との間の粉砕間隙Ｈやその近傍部分の掃除を容易に行うことができると共に回転擂潰盤７の載置動作により回転擂潰盤７を主軸９に容易に取り付けることができ、それだけ操作性を向上することができる。
【００１７】
またこの場合上記着脱機構１０は上記主軸９に挿通穴２２を形成すると共に上記回転擂潰盤７に下端部が挿通穴２２に挿通可能なロック杆２３を上端部を突出させて上下動自在に配設し、ロック杆２３を下方に弾圧可能にしてロック杆２３の上端部の持上げ時に回転擂潰盤７の自重又は引き上げ外力により縮小変形可能なバネ部材２５を配設し、かつ回転擂潰盤７に主軸９に外嵌合可能な嵌合穴２６を形成すると共に嵌合穴２６の内周面に係止溝２７を形成し、更に主軸９に挿通穴２２の内周面から主軸９の外周面に至る係止穴２８を形成すると共に係止穴２８に外方端部が係止溝２８に嵌着可能な係止ピン２９を突没進退自在に挿通し、係止ピン２９の内方端部に受圧部分２９ａを形成すると共にロック杆２３の下端部に受圧部分２９ａを押圧可能な押圧部分２３ａを形成し、係止溝２８に回転擂潰盤７の持上げ時に係止ピン２９の外方端部を押圧して係止ピン２９を没入させる戻動部分２７ａを形成して構成しているから、着脱機構１０の構造を簡素化することができると共にロック杆２３により係止ピン２９を突出させて係止溝２７に没入させ、係止ピン２９の内方端部の受圧部分２９ａをロック杆２３の下端部の押圧部分２３ａにより押圧することにより主軸９と回転擂潰盤７との連結強度を高めることができ、よって、主軸９の回転を確実に回転擂潰盤７に伝達することができ、それだけ固定擂潰盤６と回転擂潰盤７とによる擂潰作用を良好に行うことができる。
【００１８】
尚、本発明は上記実施の形態例に限られるものではなく、ホッパー部１、擂潰部２、駆動部３、排出部４の構造や形態並びに材質等は適宜変更して設計されるものである。
【００１９】
【発明の効果】
本発明は上述の如く、請求項１記載の発明にあっては、回転擂潰盤を駆動部により回転される主軸に対して回転擂潰盤の載置又は持上げ動作により着脱させる着脱機構を配設して構成しているから、回転擂潰盤の持ち上げ動作により回転擂潰盤を主軸から容易に取り外すことができ、固定擂潰盤と回転擂潰盤との間の粉砕間隙やその近傍部分の掃除を容易に行うことができると共に回転擂潰盤の載置動作により回転擂潰盤を主軸９に容易に取り付けることができ、それだけ操作性を向上することができ、かつ、該着脱機構は上記主軸に挿通穴を形成すると共に上記回転擂潰盤に下端部が挿通穴に挿通可能なロック杆を上端部を突出させて上下動自在に配設し、ロック杆を下方に弾圧可能にしてロック杆の上端部の持上げ時に回転擂潰盤の自重又は引き上げ外力により縮小変形可能なバネ部材を配設し、かつ回転擂潰盤に主軸に外嵌合可能な嵌合穴を形成すると共に嵌合穴の内周面に係止溝を形成し、更に主軸に挿通穴の内周面から主軸の外周面に至る係止穴を形成すると共に係止穴に外方端部が係止溝に嵌着可能な係止ピンを突没進退自在に挿通し、係止ピンの内方端部に受圧部分を形成すると共にロック杆の下端部に受圧部分を押圧可能な押圧部分を形成し、係止溝に回転擂潰盤の持上げ時に係止ピンの外方端部を押圧して係止ピンを没入させる戻動部分を形成して構成しているから、着脱機構の構造を簡素化することができると共にロック杆により係止ピン突出させて係止溝に没入させ、係止ピンの内方端部の受圧部分をロック杆の下端部の押圧部分により押圧することにより、主軸と回転擂潰盤との連結強度を高めることができ、よって主軸の回転を確実に回転擂潰盤に伝達することができ、それだけ固定擂潰盤と回転擂潰盤とによる擂潰作用を良好に行うことができる。
【００２０】
以上、所期の目的を充分達成することができる。
【図面の簡単な説明】
【図１】  本発明の実施の形態例の全体断面斜視図である。
【図２】  本発明の実施の形態例の側断面図である。
【図３】  本発明の実施の形態例の部分側断面図である。
【図４】  本発明の実施の形態例の全体斜視図である。
【図５】  本発明の実施の形態例の回転擂潰盤の正面図である。
【図６】  本発明の実施の形態例の固定擂潰盤の正面図である。
【図７】  本発明の実施の形態例の部分平断面図である。
【図８】  本発明の実施の形態例の部分分解側断面図である。
【図９】  本発明の実施の形態例の部分平断面図である。
【図１０】  本発明の実施の形態例の部分平断面図である。
【符号の説明】
Ｗ  被粉砕物
１  ホッパー部
２  擂潰部
３  駆動部
４  排出部
６  固定擂潰盤
７  回転擂潰盤
９  主軸
１０  着脱機構
２２  挿通穴
２３  ロック杆
２３ａ  押圧部分
２５  バネ部材
２６  嵌合穴
２７  係止溝
２７ａ  戻動部分
２８  係止穴
２９  係止ピン
２９ａ  受圧部分
【図１】
0003694965.tif 000002
【図２】
0003694965.tif 000003
【図３】
0003694965.tif 000004
【図４】
0003694965.tif 000005
【図５】
0003694965.tif 000006
【図６】
0003694965.tif 000007
【図７】
0003694965.tif 000008
【図８】
0003694965.tif 000009
【図９】
0003694965.tif 000010
【図１０】
0003694965.tif 000011